(57)【要約】【課題】  電動式昇降吊り戸棚装置において、部品点数や組立工数を削減し製造コストの低減を図り、吊り戸棚の昇降動作を安定させる。【解決手段】  第１および第２のリンク３１，３２の上端部はピン３５，３７を介して天井板２の支持部材２５Ａに枢支されている。第３および第４のリンク３３，３４の上端部は第１および第２のリンク３１，３２の下端部にピン３８，４０を介して枢着され、下端部はピン３９，４１を介して吊り戸棚３の支持部材２５Ｂに枢支されている。第３および第４のリンク３３，３４の下端部のそれぞれには、互いに噛合する歯車部３３ａ，３４ａが設けられている。第１のリンク３１は、モータ１１を駆動源として減速歯車列１２を介して回動する駆動レバー１３によって移動させられる。【選択図】  図１
2008301928.tif 000002
【特許請求の範囲】
【請求項１】
固定部に対して駆動装置によって吊り戸棚を昇降させる電動式昇降吊り戸棚装置において、前記固定部に一端部が枢支された第１および第２のリンクと、これら第１および第２のリンクのそれぞれの他端部に一端部が枢着され、他端部が前記吊り戸棚に枢支された第３および第４のリンクとを備え、これら第１ないし第４のリンクの長さをすべて同一としこれら第１ないし第４のリンクによって菱形を形成させ、前記第１および第２のリンクのいずれか一方を前記駆動装置によって移動させることを特徴とする電動式昇降吊り戸棚装置。
【請求項２】
前記第３および第４のリンクのそれぞれの他端部に互いに噛合する歯車部を設けたことを特徴とする請求項１記載の電動式昇降吊り戸棚装置。
【請求項３】
前記駆動装置は、駆動源としてのモータと、このモータの出力軸の回転を減速する減速歯車列と、この減速歯車列を構成する最後尾の歯車の中心軸に一端部が軸着され、他端部が前記第１および第２のリンクのいずれか一方に枢着された駆動レバーとによって構成したことを特徴とする請求項１または２記載の電動式昇降吊り戸棚装置。
【発明の詳細な説明】
【技術分野】
【０００１】
本発明は、駆動装置によって吊り戸棚を昇降させる電動式昇降吊り戸棚装置に関するものである。
【背景技術】
【０００２】
従来の電動式昇降吊り戸棚装置としては、食器類が収納される内箱と、この内箱を昇降自在に収納する外箱と、この外箱に内箱を昇降自在に案内するガイドレールおよびスライダーと、内箱を上昇させる駆動源としてのモータと、このモータの駆動によって内箱を吊り下げている２本のベルトを巻き取る巻取りドラムとを備えたものがある（例えば、特許文献１参照）。このような構成において、モータを一方向へ駆動し巻取りドラムによって２本のベルトを巻き取ることにより、内箱が上昇し外箱内に収納される。一方、モータを一方向と反対方向の他方向へ駆動することにより、主として内箱の重量によって内箱が下降し外箱から露呈する。
【特許文献１】特開２００６−３４０７５６号公報（段落〔００１０〕〜〔００２０〕、図１および図２）
【発明の開示】
【発明が解決しようとする課題】
【０００３】
上述した従来の電動式昇降吊り戸棚装置においては、２本のベルトによって内箱を吊り下げ昇降させる構造であるため、内箱の昇降が安定しないことがあり、内箱の昇降を安定させるための案内部材としてガイドレールやスライダーを必要としていた。このため、部品点数が増加し組立工数も増加することにより製造コストが嵩むという問題があった。また、主として内箱の重量によって下降させる構造であるため、下降動作が安定しないといった問題もあった。
【０００４】
本発明は上記した従来の問題に鑑みなされたものであり、その目的とするところは、部品点数や組立工数を削減し製造コストの低減を図り、吊り戸棚の昇降動作を安定させた電動式昇降吊り戸棚装置を提供するところにある。
【課題を解決するための手段】
【０００５】
この目的を達成するために、本発明は、固定部に対して駆動装置によって吊り戸棚を昇降させる電動式昇降吊り戸棚装置において、前記固定部に一端部が枢支された第１および第２のリンクと、これら第１および第２のリンクのそれぞれの他端部に一端部が枢着され、他端部が前記吊り戸棚に枢支された第３および第４のリンクとを備え、これら第１ないし第４のリンクの長さをすべて同一としこれら第１ないし第４のリンクによって菱形を形成させ、前記第１および第２のリンクのいずれか一方を前記駆動装置によって移動させるものである。
【０００６】
本発明は、前記発明において、前記第３および第４のリンクのそれぞれの他端部に互いに噛合する歯車部を設けたものである。
【０００７】
本発明は、前記発明において、前記駆動装置は、駆動源としてのモータと、このモータの出力軸の回転を減速する減速歯車列と、この減速歯車列を構成する最後尾の歯車の中心軸に一端部が軸着され、他端部が前記第１および第２のリンクのいずれか一方に枢着された駆動レバーとによって構成したものである。
【発明の効果】
【０００８】
本発明によれば、吊り戸棚を四本のリンクによって水平状態の姿勢を保持したまま昇降させることができるため、従来のような吊り戸棚を安定した状態で案内する案内部材を不要とすることが可能となるから、部品点数や組立工数が削減され製造コストの低減を図ることができる。また、従来のように主として吊り戸棚の重量によって下降させるのではなく、四本のリンクによって吊り戸棚を安定した状態で下降させることができるため、吊り戸棚の昇降動作を安定させることができる。
【０００９】
また、前記発明のうち一つの発明によれば、互いに噛合している歯車部を介して、第３のリンクと第４のリンクとの間の動作の受け渡しが確実かつ円滑に行われるため、吊り戸棚の昇降動作を確実かつ円滑に行うことができる。
【００１０】
また、前記発明のうち一つの発明によれば、リンクを移動させる駆動装置を、モータ、減速歯車列および駆動レバーによって構成したことにより、これらを収納するスペースを小型化することが可能となる。
【発明を実施するための最良の形態】
【００１１】
以下、本発明の実施の形態を図に基づいて説明する。図１は本発明に係る電動式昇降吊り戸棚装置の要部を示す正面図、図２は同じく一部を破断して示す図１におけるII矢視図、図３は図１における III矢視図である。
【００１２】
図１に全体を符号１で示す本発明に係る電動式昇降吊り戸棚装置は、固定部としての天井板２と、この天井板２に対して昇降自在な吊り戸棚３（上板のみを図示）と、この吊り戸棚３を昇降させる駆動装置４と、この駆動装置４によって駆動するリンク装置５とによって概ね構成されている。
【００１３】
駆動装置４は、一方向または一方向と反対の他方向へ駆動する駆動源としてのモータ１１と、このモータ１１の出力軸１１ａの回転を減速する減速歯車列１２と、この減速歯車列１２を構成する最後尾の歯車１９の中心軸２０に一端部が締結され、他端部に設けた長孔１３ａが後述する第１のリンク３１に植設された係合ピン３６に遊嵌されこの第１のリンク３１に枢着された駆動レバー１３とによって概ね構成されている。
【００１４】
モータ１１は、図３に示すようにブラケット１５を介して天井板２に固定されており、出力軸１１ａには、図２に示すようにウォーム１１ｂが軸着され、このウォーム１１ｂは減速歯車列１２を構成する第１の歯車１６に一体に形成されたウォームホイール１６ａに噛合している。第１の歯車１６は、第２の歯車１７の大径歯車部に噛合され、この第２の歯車１７の小径歯車部が第３の歯車１８の大径歯車部に噛合している。第３の歯車１８の小径歯車部に最後尾の歯車１９が噛合されており、この最後尾の歯車１９が軸着された中心軸２０に、図２に示すように駆動レバー１３の一端部がボルト２１によって締結されている。
【００１５】
図１において、２５Ａ，２５Ｂは支持部材であって、互いに対向するように天井板２と吊り戸棚３とのそれぞれに取り付けられている。リンク装置５は、図１に示すように、全長が同一に形成された四本の第１ないし第４のリンク３１ないし３４によって構成されている。第３および第４のリンク３３，３４の下端部には、後述するように互いに噛合する歯車部３３ａ，３４ａが設けられている。
【００１６】
第１のリンク３１は、上端部がピン３５を介して支持部材２５Ａに枢支されている。第２のリンク３２は、上端部がピン３７を介して支持部材２５Ａに枢支されている。第３のリンク３３は、上端部がピン３８を介して第１のリンク３１の下端部に枢着され、下端部がピン３９を介して支持部材２５Ｂに枢支されている。
【００１７】
第４のリンク３４は、上端部がピン４０を介して第２のリンク３２の下端部に枢着され、下端部がピン４１を介して支持部材２５Ｂに枢支されている。このように枢支された第３および第４のリンク３３，３４の歯車部３３ａ，３４ａは互いに噛合している。また、これら第１ないし第４のリンク３１ないし３４によって構成されたリンク装置５は、正面視において全体が菱形に形成されている。
【００１８】
次に、このように構成された電動式昇降吊り戸棚装置における吊り戸棚の昇降動作について説明する。先ず、吊り戸棚３を図１に実線で示す位置から二点鎖線で示す位置に上昇させる動作について説明する。この場合は、モータ１１を一方向に駆動することにより、モータ１１の出力軸１１ａの回転は、減速歯車列１２を介して最後尾の歯車１９に伝達され、最後尾の歯車１９が図中時計方向に回動する。
【００１９】
したがって、この最後尾の歯車１９と中心軸２０を介して一体化された駆動レバー１３も、中心軸２０を回動中心として時計方向に回動する。この駆動レバー１３の時計方向への回動により、第１のリンク３１が係合ピン３６を介してピン３５を回動中心として時計方向へ回動する。この第１のリンク３１の時計方向への回動により、ピン３８は矢印Ａ方向へ移動し、第３のリンク３３を介してピン３９は矢印Ｃ方向（上方）へ移動する。したがって、ピン４１も支持部材２５Ｂを介して矢印Ｃ方向（上方）へ移動し、ピン４０は第４のリンク３４を介して矢印Ｂ方向へ移動する。このとき、第１ないし第４のリンク３１ないし３４のそれぞれの全長がすべて同一の長さに形成されているため、ピン３８の矢印Ａ方向への移動量とピン４０の矢印Ｂ方向への移動量とが同じ量となる。したがって、吊り戸棚３は傾くことなく水平状態を保持したまま上昇する。
【００２０】
また、ピン３８が矢印Ａ方向へ移動するときに、第３のリンク３３の全体が図中反時計方向へ回動する。したがって、この回動は、互いに噛合している歯車部３３ａ，３４ａを介して第４のリンク３４を時計方向へ回動させるため、ピン４０の矢印Ｂ方向への移動が確実かつ円滑に行われる。駆動レバー１３が時計方向へ略９０°回動することにより、第１ないし第４のリンク３１ないし３４が図中二点鎖線で示す位置に移動し、吊り戸棚３が上昇限に位置する。この吊り戸棚３の上昇にあたっては、モータ１１の出力軸１１ａの回転を減速歯車列１２を介して駆動レバー１３に伝達するように構成しているため、モータ１１のトルク不足が発生することなく、確実に吊り戸棚３を上昇限に移動させることができる。
【００２１】
次に、この二点鎖線で示す位置から実線で示す位置へ下降させる動作について説明する。この場合は、モータ１１を一方向と反対の他方向へ駆動することにより、モータ１１の出力軸１１ａの回転は、減速歯車列１２を介して最後尾の歯車１９に伝達され、最後尾の歯車１９が図中反時計方向に回動する。
【００２２】
したがって、駆動レバー１３も反時計方向に回動し、第１のリンク３１が係合ピン３６を介してピン３５を回動中心として反時計方向へ回動する。この第１のリンク３１の反時計方向への回動により、ピン３８は矢印Ｂ方向へ移動し、ピン３９は矢印Ｄ方向（下方）へ移動する。したがって、ピン４１も支持部材２５Ｂを介して矢印Ｄ方向（下方）へ移動し、ピン４０は第４のリンク３４を介して矢印Ａ方向へ移動する。このとき、第１ないし第４のリンク３１ないし３４のそれぞれの全長がすべて同一の長さに形成されているため、ピン３８の矢印Ｂ方向への移動量とピン４０の矢印Ａ方向への移動量とが同じ量となる。したがって、吊り戸棚３は傾くことなく水平状態を保持したまま下降する。
【００２３】
また、ピン３８が矢印Ｂ方向へ移動するときに、第３のリンク３３が図中時計方向へ回動する。したがって、この回動は、互いに噛合している歯車部３３ａ，３４ａを介して第４のリンク３４を反時計方向へ回動させるため、ピン４０の矢印Ａ方向への移動が確実かつ円滑に行われる。駆動レバー１３が反時計方向へ略９０°回動することにより、第１ないし第４のリンク３１ないし３４が図中実線で示す位置に移動し、吊り戸棚３が下降限に位置する。
【００２４】
この吊り戸棚３の下降にあたっては、モータ１１の出力軸１１ａの回転を減速歯車列１２を介して駆動レバー１３に伝達するように構成しているため、モータ１１のトルク不足が発生することなく、確実に吊り戸棚３を下降限に移動させることができる。このように、吊り戸棚３を下降させるとき、従来のように吊り戸棚３の自重に頼ることなく、上昇させるときと同様に移動させることができるため、吊り戸棚３の昇降動作を安定させることができる。
【００２５】
また、吊り戸棚３は、第１ないし第４のリンク３１ないし３４によって水平状態の姿勢を保持したまま昇降できるため、従来のような吊り戸棚３を安定した状態で案内する案内部材を不要とすることが可能となるから、部品点数や組立工数が削減され製造コストの低減を図ることができる。また、リンク装置５を移動させる駆動装置４を、モータ１１、減速歯車列１２および駆動レバー１３によって構成したことにより、これらを収納するスペースを小型化することが可能となる。
【００２６】
なお、本実施の形態においては、第３および第４のリンク３３，３４の下端部に互いに噛合する歯車部３３ａ，３４ａを設けたが、吊り戸棚３を昇降させる力が比較的小さくて済む場合は必ずしも歯車部３３ａ，３４ａを設けて連結させる必要はなく、互いの下端部を離間させるようにしてもよい。
【図面の簡単な説明】
【００２７】
【図１】本発明に係る電動式昇降吊り戸棚装置の要部を示す正面図である。
【図２】一部を破断して示す図１におけるII矢視図である。
【図３】図１における III矢視図である。
【符号の説明】
【００２８】
１…電動式昇降吊り戸棚装置、２…天井板（固定部）、３…吊り戸棚、４…駆動装置、５…リンク装置、１１…モータ、１２…減速歯車列、１３…駆動レバー、１９…最後尾の歯車、２０…中心軸、３１…第１のリンク、３２…第２のリンク、３３…第３のリンク、３４…第４のリンク、３６…係合ピン、３３ａ，３４ａ…歯車部。
【図１】
2008301928.tif 000003
【図２】
2008301928.tif 000004
【図３】
2008301928.tif 000005